(57)【要約】【課題】  本発明は、構造を複雑化することなく、パイプの斜め切りを確実に防止できるパイプ切断器械姿勢支持器具を提供することを目的とする。【解決手段】被切断パイプ１の中心軸Ａに直交する同一平面上に対向配置した複数個のカッター刃３を押圧手段に接近させつつ被切断パイプ１の周囲を回動させることにより、被切断パイプ１を切断するパイプ切断器械であって、弓型フレーム４の一端に複数個のカッター刃３と、前記カッター刃の両側に応動する被切断パイプ当接ローラ５と、を配した固定支持体６と、前記弓型フレーム４の中間部に可動する、複数個のカッター刃３と、前記カッター刃３の両側に応動する被切断パイプ当接ローラ５と、を配した可動支持体７を有したことにより、被切断パイプ当接ローラ５が被切断パイプ１の外周に当接され、パイプ切断器械が被切断パイプ１の中心軸Ａに対して直角に保持できる。【選択図】図１
2017030133.tif 000002
【特許請求の範囲】
【請求項１】
被切断パイプの中心軸に直交する同一平面上に対向配置した複数個のカッター刃を押圧手段に接近させつつ被切断パイプの周囲を回動させることにより、被切断パイプを切断するパイプ切断器械であって、
弓型フレームの一端に１個以上のカッター刃と、前記カッター刃の両側に応動する被切断パイプ当接ローラと、を配した固定支持体と、
前記弓型フレームの中間部に可動する、移動フレームと、移動フレームに取り付けられた１個以上のカッター刃と、前記カッター刃の両側に応動する被切断パイプ当接ローラと、を配した可動支持体と、
前記移動フレームを押圧する螺子と該螺子を回転するハンドルと、
を設けたことを特徴とするパイプ切断器械。
【請求項２】
前記、弓型フレーム、移動フレーム、固定支持体と可動支持体に配した、複数のカッター刃と、カッター刃の両側に応動する被切断パイプ当接ローラと、は、被切断パイプの中心軸に対して、直角に且つ、同一平面上に対向配置されていることを特徴とする請求項１のパイプ切断器械。
【請求項３】
前記弓型フレーム、移動フレーム、固定支持体と可動支持体に配した、複数のカッター刃とカッター刃の両側に応動する被切断パイプ当接ローラは、切断開始直前において複数のカッター刃の先端より突出していることによりカッター刃が、切断開始時に被切断パイプの中心軸に対して、直交する同一平面上に配置されるようパイプカッターの姿勢を保持することを特徴とする請求項１又は２記載のパイプ切断器械。
【請求項４】
前記固定支持体もしくは、可動支持体のどちらか一方を有し、前記パイプ切断器械同様、カッター刃が、切断開始時に被切断パイプの中心軸に対して、直交する同一平面上に配置されるようパイプカッターの姿勢を保持する機能を持つことを特徴とする請求項１〜３記載のパイプ切断器械。
【請求項５】
前記被切断パイプ当接ローラは、円筒形状、球形状など被切断パイプ上を移動する抵抗を小さくすることを特徴とする請求項１〜４記載のパイプ切断器械。
【発明の詳細な説明】
【技術分野】
【０００１】  本発明は、パイプ切断機器に関する。詳しくは、本体に設けられた複数個の当接ローラで被切断パイプを挟持し、本体に設けた複数個のカッター刃によりパイプを切断するパイプ切断器械に関する。
【背景技術】
【０００２】  樹脂製のパイプを切断するための一般的なパイプ切断器具は、刃保持部と刃部とを有し、刃部を切断するパイプに押し付けるとともに刃保持部を回動させて、パイプを切断していた。切断刃が１枚でパイプの回りを３６０度以上回動することで、パイプを切断するもの（特許文献１、２）と、複数の切断刃がパイプを取り囲むように配置され、パイプの回りを刃の配置角分だけ、回動することでパイプを切断するもの（特許文献３）がある。
【先行技術文献】
【特許文献】
【０００３】
【特許文献１】実用新案登録第３０６６３４２号公報
【特許文献２】特開２００２−２６３９４７号公報
【特許文献３】実用新案出願公告昭６１−４４７３７号公報
【発明の概要】
【発明が解決しようとする課題】
【０００４】  埋設ガス管や水道管（パイプ）の工事では、堀削された穴の中でパイプの切断作業や接続の作業を行わなければならないが、一般的に十分なスペースは確保されていない。従って、パイプの回りを３６０度以上回動しなければならないタイプのパイプ切断器械であると、時に使えない場合がある。【０００５】  一方、樹脂製のパイプを接続するとき、接続するそれぞれのパイプの端面を強く押し当て熱を加え溶着により接続をする。したがって接続されるパイプの端面が、パイプの軸心に対して垂直でなければ、パイプの回り全周が接続されず、ガス漏れ液漏れを起こしてしまう。そこで一般的には、パイプ切断器械で切断の後に専用の道具を使い切断面がパイプの軸心に垂直になるように削っている。しかしながら切断面が大きく曲がってしまい修正の為に削る量が増えれば、それだけ施工時間も伸びてしまう。【０００６】  そこで複数の刃がパイプを取り囲むように配置されたタイプのパイプ切断器械のパイプ切断時の姿勢をパイプの軸心に垂直に切断できるよう保つことが出来る道具を取り付けたパイプ切断器械を提案するものである。
【課題を解決するための手段】
【０００７】  本発明は、被切断パイプの中心軸に直交する同一平面上に対向配置した複数個のカッター刃を押圧手段にて接近させつつ被切断パイプの周囲を回動させることにより、被切断パイプを切断するパイプ切断器械であって、
弓型フレームの一端に１個以上のカッター刃と、前記カッター刃の両側に応動する被切断パイプ当接ローラとを配した固定支持体と、
前記弓型フレームの中間部に可動する、移動フレームと、移動フレームに取り付けられた１個以上のカッター刃と、前記カッター刃の両側に応動する被切断パイプ当接ローラと、
を配した可動支持体と、
前記移動フレームを押圧する螺子と該螺子を回転するハンドルと、
を有したことを特徴とするパイプ切断器械である。【０００８】  また、本発明の前記弓型フレーム、移動フレーム、固定支持体と可動支持体に配した、複数個のカッター刃と、カッター刃の両側に応動する被切断パイプ当接ローラとは、
被切断パイプの中心軸に対して、直角に且つ、同一平面上に対向配置されていること
を特徴とする前記のパイプ切断器械である。【０００９】  また、本発明の前記弓型フレーム、移動フレーム、固定支持体と可動支持体に配した、複数個のカッター刃とカッター刃の両側に応動する被切断パイプ当接ローラは、
切断開始直前において複数のカッター刃の先端より突出していることによりカッター刃が、切断開始時に被切断パイプの中心軸に対して、直交する同一平面上に配置されるようカッター刃の姿勢を保持すること
を特徴とするパイプ切断器械である。【００１０】  前記固定支持体もしくは、可動支持体のどちらか一方を有し、前記パイプ切断器械同様、カッター刃が、切断開始時に被切断パイプの中心軸に対して、直交する同一平面上に配置されるようパイプカッターの姿勢を保持する機能を持つことを特徴とするパイプ切断器械である。【００１１】  前記被切断パイプ当接ローラは、円筒形状、球形状など被切断パイプ上を移動する抵抗を小さくすることを特徴とするパイプ切断器械である。
【発明の効果】
【００１２】  本発明によれば、被切断パイプの中心軸に直交する同一平面上に対向配置した複数個のカッター刃を押圧手段に接近させつつ被切断パイプの周囲を回動させることにより、被切断パイプを切断するパイプ切断器械であって、弓型フレームの一端に１個以上のカッター刃と、前記カッター刃の両側に応動する被切断パイプ当接ローラと、を配した固定支持体と、前記弓型フレームの中間部に可動する移動フレームに取り付けられた、１個以上のカッター刃と、前記カッター刃の両側に応動する被切断パイプ当接ローラと、を配した可動支持体と、前記弓型フレームの他端に弓型フレームの中間部に可動する複数個のカッター刃と、前記カッター刃の両側に応動する被切断パイプ当接ローラと、を配した可動支持体を押圧する螺子と該螺子を回転するハンドルと、を有したことにより、図３に示すように被切断パイプ当接ローラが被切断パイプの外周に当接され、パイプ切断器械が被切断パイプの中心軸に対して直角に保持できるパイプ切断器械が提供される。【００１３】  被切断パイプの切断にあたっては、前記カッター刃の両側に応動する被切断パイプ当接ローラと、を配した可動支持体を押圧する螺子と該螺子をハンドル回転させて可動支持体を押圧するとともにパイプ切断器械を被切断パイプの周囲を回動させることにより切断される。該切断時の被切断パイプ当接ローラは、複数個のカッター刃の押入量に応動して当接ローラ押圧発条がたわみ、被切断パイプ当接ローラが被切断パイプへの当接が被切断パイプの切断終了状態まで保持されるパイプ切断器械が提供される。【００１４】  また、本発明によれば、前記弓型フレーム、移動フレーム、固定支持体と可動支持体に配した、複数のカッター刃と、カッター刃の両側に応動する被切断パイプ当接ローラと、は、被切断パイプの中心軸に対して、直角に且つ、同一平面上に対向配置されていることにより、被切断パイプの切断面が平面に形成されるパイプ切断器械が提供される。【００１５】  また、本発明によれば、前記弓型フレーム、移動フレーム、固定支持体と可動支持体に配した、複数のカッター刃の両側に応動する被切断パイプ当接ローラは、使用開始直前において複数のカッター刃の先端より突出していることにより、パイプ切断器械が被切断パイプの中心軸に対して直角に安定して保持できるとともに、パイプ切断器械の被切断パイプの切断位置への移動が容易であるパイプ切断器械が提供される。【００１６】  また、本発明によれば、前記固定支持体もしくは、可動支持体のどちらか一方を有する事でも前記パイプ切断器械同様、カッター刃が、切断開始時に被切断パイプの中心軸に対して、直交する同一平面上に配置されるパイプ切断器械が提供される。【００１７】  また、本発明によれば、前記被切断パイプ当接ローラは、円筒形状、球形状など被切断パイプ上を移動する抵抗を小さくすることを特徴とするパイプ切断器械が提供される。
【図面の簡単な説明】
【００１８】
【図１】本発明の一実施形態のパイプ切断器械示す図で、（ａ）は正面図、（ｂ）は側面図である。
【図２】本発明の一実施形態のパイプ切断器械の固定支持体と可動支持体に配した、複数数のカッター刃と、カッター刃の両側に応動する被切断パイプ当接ローラの正面拡大図である。
【図３】本発明の一実施形態のパイプ切断器械の被切断パイプへの装着状態の拡大図である。
【図４】本発明の一実施形態のパイプ切断器械の被切断パイプの切断開始状態の断面拡大図である。
【図５】本発明の一実施形態のパイプ切断器械の被切断パイプの切断終了状態の断面拡大図である。
【発明を実施するための形態】
【００１９】  以下本発明のパイプ切断器械姿勢支持器具の一実施形態について、図１から図５を参照しながら説明する。
１は被切断パイプ、２はスライドガイド、５は被切断パイプ当接ローラ、１０は当接ローラ押圧発条である。
本発明のパイプ切断器械は、弓型フレーム４、固定支持体６、移動フレーム１１、可動支持体７、螺子８、ハンドル９そして、カッター刃３により構成される。
移動フレーム１１は、弓型フレーム４のスライドガイド２上に置かれ、スライドガイド２に沿って移動することが出来る。移動方向は、図１では上下方向になる。次に螺子８にハンドル９は、固定され、さらに螺子８は、弓型フレームの螺子８と同寸法の雌螺子が施されているところを通過しながら移動フレーム１１に接続されている。よって、ハンドル９を使用し螺子８を回転させることで、移動フレーム１１が、弓型フレーム４のスライドガイド２上を移動する。さらに移動フレーム１１と弓形フレーム４にはカッター刃３が、取り付けられている。図１では、それぞれに２個ずつ４個であるが、必ずしも４個でなくてもよいが、１個以上は必要である。被切断パイプ１を移動フレーム１１と弓形フレーム４に取り付けられたカッター刃３の間に配置し、ハンドル９の操作でカッター刃３の間隔を狭めることで被切断パイプ１にカッター刃３をくいこませ、パイプ切断器械を被切断パイプ１の回りを回動させることで被切断パイプ１に切込が入る。この動作を繰り返すことで被切断パイプ１は切断される。
【００２０】  被切断パイプ１の切断面が、被切断パイプ１の中心軸Ａに対して垂直にするために、移動フレーム１１に可動支持体７と弓形フレーム４の一端取り付けられた固定支持体６により切断時のパイプ切断器械の姿勢を制御する。その時の、可動支持体７及び固定支持体６の基本構造と動作について説明する。
弓型フレーム４の一端に複数個のカッター刃３と、カッター刃の両側に応動する被切断パイプ当接ローラ５とを配した固定支持体６と、前記弓型フレーム４の中間部に可動する複数個のカッター刃３と、カッター刃３の両側に応動する被切断パイプ当接ローラ５とを配した可動支持体７と、複数個のカッター刃３と、被切断パイプ当接ローラ５とを配した可動支持体７を押圧する螺子８と該螺子を回転するハンドル９とを有したことにより、図３に示すように被切断パイプ当接ローラ５が被切断パイプ１の外周に当接され、パイプ切断器械が被切断パイプ１の中心軸Ａに対して直角に保持できる。
【００２１】  被切断パイプ１の切断にあたっては、前記カッター刃３の両側に応動する被切断パイプ当接ローラ５と、を配した可動支持体７を押圧する螺子８と該螺子をハンドル９により回転させて可動支持体７を押圧するとともにパイプ切断器械を被切断パイプ１の周囲を回動させることにより切断される。該切断時の被切断パイプ当接ローラ５は、複数個のカッター刃３の押入量に応動して当接ローラ押圧発条１０がたわみ、被切断パイプ当接ローラ５が被切断パイプ１への当接が被切断パイプの切断終了状態まで保持される。
【００２２】  また、図１から図５に示す、前記固定支持体６と可動支持体７に配した、複数のカッター刃３と、カッター刃３の両側に応動する被切断パイプ当接ローラ５と、は、被切断パイプ１の中心軸Ａに対して、直角に且つ、同一平面上に対向配置されていることにより、被切断パイプの切断面が平面に形成される。
【００２３】  また、図１から図５に示す、固定支持体６と可動支持体７に配した、複数個のカッター刃３の両側に応動する被切断パイプ当接ローラ５は、使用開始直前において複数のカッター刃３の先端より突出していることにより、パイプ切断器械が被切断パイプ１の被切断パイプ１の中心軸Ａに対して直角に安定して保持できるとともに、パイプ切断器械の被切断パイプ１の切断位置への移動が容易である。
【００２４】  また、図１から図５に示す、前記固定支持体もしくは、可動支持体のどちらか一方を有する事でも前記パイプ切断器械同様、カッター刃が、切断開始時に被切断パイプの中心軸Ａに対して、直交する同一平面上に配置され、被切断パイプ１の切断面は、被切断パイプ１の中心軸Ａに対して直角且つ、平面に形成される。
【００２５】  また、図１から図５に示す、前記被切断パイプ当接ローラは、円筒形状、球形状など被切断パイプ上を移動する抵抗を小さくすることによりカッター刃が、切断開始時に被切断パイプの中心軸Ａに対して、直交する同一平面上に配置され、被切断パイプ１の切断面は、被切断パイプ１の中心軸Ａに対して直角且つ、平面に形成される。
【産業上の利用可能性】
【００２６】  本発明に係るパイプ切断器械は文字通り、被切断パイプ当接ローラによるパイプ切断の斜め切り防止を主目的としているが、弓型パイプ切断器械以外のパイプ切断器械にも利用可能である。
【符号の説明】
【００２５】  １．被切断パイプ
２．スライドガイド
３．カッター刃
４．弓型フレーム
５．被切断パイプ当接ローラ
６．固定支持体
７．可動支持体
８．螺子
９．ハンドル
１０．当接ローラ押圧発条
１１．移動フレーム
Ａ．  中心軸
Ｂ．  破断線
【図１】
2017030133.tif 000003
【図２】
2017030133.tif 000004
【図３】
2017030133.tif 000005
【図４】
2017030133.tif 000006
【図５】
2017030133.tif 000007